(57)【要約】開放型ホースクランプにおいて、互いに重なる緊結バンド部分のうち外側の緊結バンド部分の端部は、舌部１２で終端する。クランプを緊縮するために、舌部１２は、内側緊結バンド部分上の歯状領域１７と協働する歯状領域１３を有する。内側緊結バンド部分には、舌部１２を少なくとも部分的に囲う案内ブラケット１６が設けられている。【選択図】図５
2016538490.tif 000002
【特許請求の範囲】
【請求項１】
緊結バンド（１０）から作成されたホースクランプであって、その端部が前記クランプの閉じた状態において互いに重なり、それにより内側緊結バンド部分と外側緊結バンド部分を形成しており、前記外側緊結バンド部分は、前記緊結バンドの主要部分の幅よりも幅が狭い舌部（１２）で終端する端部を有し、前記舌部（１２）は、その内側に、前記クランプを緊縮するために前記内側緊結バンド部分に設けられた少なくとも１つの外側に向いた突起（１７）と協働する少なくとも１つの内側に向いた突起（１３）を有し、前記内側緊結バンド部分は、外側で閉じており前記舌部（１２）を少なくとも部分的に囲う複数の保持具（１６、２６）を有し、
前記保持具（１６、２６）は前記緊結バンドの素材から打ち出され、隣接する保持具の間に残った素材のウェブ（２５）は幅が拡大されることを特徴とするホースクランプ。
【請求項２】
前記舌部（１２）は複数の内側に向いた歯状突起（１３）を有する請求項１に記載のホースクランプ。
【請求項３】
前記保持具（２６）は前記緊結バンド（１０）の長手方向に対して斜めに延在する、請求項１に記載のホースクランプ。
【請求項４】
前記内側および外側緊結バンド部分は、プライヤー型の緊縮工具によって係合される構成（１４、１８）を有し、前記内側緊結バンド部分上の前記構成（１８）は、前記外側に向いた突起（１７）に接近して配置されている、請求項１〜３のいずれか１項に記載のホースクランプ。
【請求項５】
前記内側緊結バンド部分上に設けられた前記構成は、前記舌部（１２）の両側に設けられた一対のフック（１８）を有する、請求項４に記載のホースクランプ。
【請求項６】
前記内側緊結バンド端部に面した前記フック（１８）の側に、前記舌部用のさらなる保持構造が設けられている、請求項５に記載のホースクランプ。
【請求項７】
前記内側緊結バンドの端部は、前記緊結バンド（１０）の主要部分よりも幅が狭い内側舌部（１９）で終端し、前記内側舌部（１９）の厚みに対応する段（１５）が、前記外側緊結バンド部分に形成されている、請求項１〜６のいずれか１項に記載のホースクランプ。
【請求項８】
前記段（１５）に隣接した前記緊結バンド（１０）の領域は、前記内側舌部の幅に対応する窓（２２）を有している、請求項７に記載のホースクランプ。
【請求項９】
前記窓（２２）は、緊縮されたホースクランプの湾曲に対応した湾曲を持つ円弧に沿って延出する前記緊結バンド（１０）の残った素材片（２３）によって覆われる、請求項８に記載のホースクランプ。
【発明の詳細な説明】
【技術分野】
【０００１】
本発明はホースクランプに関する。
【背景技術】
【０００２】
特許文献１から、請求項１の前文部分に記載された特徴を持つ開放型ホースクランプが知られている。緊結対象物の周りにクランプを緊縮するための耳状の緊縮構造がある。クランプは、内側緊結バンド部分上に設けられた外側歯状突起と、外側緊結バンド部分上に設けられた内側歯状突起との係合により緊縮された状態で保持される。一つの実施形態において、外側歯状突起は、内側緊結バンド部分の端部に接続され緊結バンドの本体よりも幅が狭い舌部上に形成されている。
【０００３】
特許文献２は、緊結バンドの端部に、重なる状態で相互係合する歯状領域が設けられた開放型ホースクランプを開示する。詳細に説明されないクリップが、端部を相互係合した状態で維持する働きをする。そのようなクリップは特許文献３から知られている。特許文献４は別のホースクランプを開示し、そのホースクランプでは、舌部の外側に設けられた第１の歯状領域が、突起部分の内側に形成された第２の歯状領域と協働する。取り付け中に、係合歯を使用するこれらのホースクランプは、緊結バンドの自由な外側端部を引っ張ることによって緊縮される。
【先行技術文献】
【特許文献】
【０００４】
【特許文献１】国際公開第２０１３／０６０３４６号公報
【特許文献２】米国特許第４０５３９６５号明細書
【特許文献３】米国特許第３０７８５３２号明細書
【特許文献４】米国特許第１８０４７２５号明細書
【発明の概要】
【発明が解決しようとする課題】
【０００５】
本発明は、従来技術の類似したホースクランプで発生する不利な点を少なくとも部分的に回避するという目的に基づく。本発明のより具体的な目的は、少ない力で、また、輪郭を拡張する緊縮機構なしで緊縮を可能にするホースクランプを提供することにおいて見られるであろう。
【課題を解決するための手段】
【０００６】
この目的は、請求項１に規定されるホースクランプによって達成される。このホースクランプにおいて、外側緊結バンド部分上に設けられた舌部の内側は、内側緊結バンド部分上に設けられた少なくとも１つの外側を向いた突起と協働する、少なくとも１つの内側を向いた突起を有し、内側緊結バンド部分は、舌部を少なくとも部分的に囲う保持構造を有している。しっかりと係合して保持される相互係合突起は、緊縮後の逆戻りを防止し、それにより既知のイヤークランプで発生する緊縮力の損失を回避する。
【０００７】
内側の歯状舌部を持つホースクランプと比べて、本発明のホースクランプの緊縮では、打ち勝たなければならない摩擦力が小さい。加えて、緊縮動作は、緊結対象物から遠いクランプの側で発生するため、緊結対象物から概ね独立している。これは、緊縮対象物を破損する危険を低減することにもなる。
【０００８】
好ましくは、突起のうち少なくとも１つは、ホースクランプが異なる直径に緊縮されることができて、緊結対象物の許容差を補償できるように、歯列として形成される。
【０００９】
１つの有利な実施形態において、内側緊結バンド部分には、外側舌部用の複数の保持具が配設され、その保持具は、その外側において閉じている。これが舌部の座屈を防止し、また、本発明は、より小さい直径かつ、より大きな緊縮長さでも実現されうる。
【００１０】
保持具は、緊結バンドの素材から打ち出されてよく、隣接する保持具間に残された素材のウェブは、拡大された幅を持つことができる。これが、緊結バンドから切り欠かれた窓を小さくして、柔軟なホース材が窓からはみ出して損傷する可能性を低減する。
【００１１】
保持具を、緊結バンドの長手方向に対して斜めに延在するように形成することは、舌部が周方向に連続して案内されることにつながる。
【００１２】
好ましくは、内側緊結バンド部分と外側緊結バンド部分それぞれは、プライヤー型の緊縮工具によって係合される構成を有し、内側緊結バンド部分上の構成は外側突起に接近して配置され、舌部の両側に配置された一対のフックを有する。こうして、ホースクランプを緊縮された状態で保持する要素に、緊縮力が非常に接近して加えられる。
【００１３】
舌部をさらに案内するために、内側緊結バンドの端部に面したフックの側に、もう１つの保持構造が設けられてもよい。
【００１４】
別の実施形態において、内側緊結バンド部分の端部は、緊結バンドの主要部分よりも幅が狭い内側舌部を有し、内側舌部の厚みに対応するとともに舌部が貫通する切り欠きを有する段が、外側緊結バンド部分に形成されている。
【００１５】
段に隣接した緊結バンド部分の領域は、内側舌部の幅に対応する窓を有していてもよい。窓は、緊結バンドの残った素材片によって覆われている。緊結対象物がホースクランプによって途切れずに支持されることを、これらの方策が確実にする。
【００１６】
好ましくは、ホースクランプは閉じた状態で配送される。輸送安全策として、内側舌部の端部は、クランプの非緊縮状態で段を係合するためのフックを有してもよい。
【００１７】
本発明の実施形態は、図面を参照して以下に詳細に説明される。
【図面の簡単な説明】
【００１８】
【図１】真っ直ぐな状態のホースクランプの斜視図である。
【図２】図１のホースクランプの、閉じた非緊縮状態の軸方向断面図である。
【図３】図１および２のホースクランプの、閉じた緊縮状態の軸方向断面図である。
【図４】図１〜３のホースクランプの、閉じた緊縮状態の斜視図である。
【図５】図１〜３のホースクランプの、閉じた緊縮状態の斜視図である。
【図６】別形状のホースクランプの真っ直ぐな状態の一部分の図である。
【図７】別形状のホースクランプの真っ直ぐな状態の一部分の図である。
【図８】別形状のホースクランプの真っ直ぐな状態の一部分の図である。
【発明を実施するための形態】
【００１９】
以下の説明において、用語「内側」および「外側」は、閉じた状態においてそれぞれ、緊結するホース（対象物）の方を向いた、および逆の方を向いた、ホースクランプの側部を指す。
【００２０】
図１〜５に示されたホースクランプは、緊結バンド１０からなり、緊結バンド１０は、図１において、左外側端部１１から開始して、以下の要素を有する：緊結バンド１０の最大幅よりも狭い幅を有し、図１では下側であるその内側に第１の歯状領域１３を有する外側舌部１２、最大緊結幅の始まり部またはその領域で緊結バンド素材から打ち抜かれた外側に開いた小穴１４、緊結バンド素材の厚みに対応する高さを持ち内側に突出する段１５、緊結バンド素材から打ち出された複数の（この実施形態では６個が示されている）案内ブラケット１６、外側を向いた第２の歯状領域１７、２つの側方保持フック１８、および、同様に緊結バンド１０の最大幅よりも幅が狭く、その端部２０付近に、外側かつ緊結バンド１０の左端１１の方向に突出する開放型固定フック２１を有する内側舌部１９。
【００２１】
図２に示される、ホースクランプが製造元から配送されるときの閉じた非緊縮の状態において、内側舌部１９は、緊結バンド１０の素材から部分的に切り出されて段１５から始まる窓２２内に載る。窓２２から切り出された緊結バンドの素材は、閉じたクランプの湾曲に従って予め曲げられてカバリング２３を形成し、カバリング２３は、その端部が緊結バンドの最大幅の部分に接続されており、内側舌部１９が外側にずれるのを防止する。図２に示される閉じた非緊縮の状態において、固定フック２１は、カバリング２３に形成された周縁スロット２４を貫通して延出し、小穴１４付近で外側緊結バンド部分に係合する。
【００２２】
図２に示されるように、外側舌部１２は側方保持フック１８の間に延出して、第２の歯状領域１７を横断し、非緊縮の状態では、少なくとも外側緊結バンド端部１１から最も遠い案内ブラケット１６を貫通し、さらに、図２に示されるように、次の案内ブラケットをも貫通する。こうして外側舌部１２は、内側緊結バンド部分に接近して保持される。
【００２３】
緊結対象物（図示せず）、典型的にはパイプニップル上に配置されたホースに嵌められたとき、ホースクランプは、小穴１４に係合するプライヤー型工具および保持フック１８によって狭められ、対象物の周りに緊縮され、そこで図３〜５に見られる外側舌部１２が、案内ブラケット１６によって案内されて内側緊結バンド部分上をさらに移動する。それにより、外側舌部１２の第１の歯状領域１３は、保持フック１８と案内ブラケット１６の間に配置された第２の歯状領域１７と係合される。この係合により、外側舌部１２は案内ブラケット１６によって保持される。
【００２４】
ホースクランプのこの緊縮プロセス中に、固定フック２１は、外側緊結バンド部分との係合から解除され、スロット２４に沿ってスライドし、内側舌部１９をホースクランプの周縁方向に案内するように働く。
【００２５】
案内ブラケット１６は緊結バンドから打ち出される。案内ブラケット１６の間に残ったウェブ２５は、緊結バンド内の隙間を減らして、緊結対象物のための支持面を拡大するために側方にエンボス加工してある。このことが、緊結対象物への損傷の危険性を低減した。
【００２６】
特に図１および５に見られる、案内ブラケット１６とウェブ２５の縁の湾曲した形状は、外側舌部１２の案内を向上させる。
【００２７】
図６〜８に示される別の実施形態において、案内ブラケット２６は、外側舌部１２が実際に妨げなく周縁方向に案内されるように、ホースクランプの軸に対して斜めに延在する。
【００２８】
図７および８の実施形態は、歯状領域１３と１７の係合を向上させ、外部の影響に対する安全性を向上させるために、外側緊結バンド端部１１から遠い側方保持フック１８の側に径方向に開放した保持ブラケット２７が設けられているという点において図１〜５の実施形態と異なっている。加えて、保持フックは、ホースクランプの最大張力状態での止め具の機能を有する。これは製造中に丸め処理を簡易化する。
【００２９】
上述のホースクランプは、以下の有利な特性を有する。
ａ）所謂「イヤークランプ」以外では、塑性変形がなく、内側の歯状舌部と対照的に、対処しなければならない摩擦力がより小さいため、緊縮中に力の損失が少ない。
ｂ）歯状領域１３、１７間の異なる係合位置による公差の補償、それにより異なる直径の緊縮されたホースクランプが可能にされる。
ｃ）案内ブラケット１６による舌部の低摩擦の案内により、外側歯状舌部１２の座屈の可能性が少なく、それにより直径が小さい場合でも長い緊縮経路で歯状の機能が実現されうる。
ｄ）「小穴」１４により、構造高さが低く、それが、緊縮力が実質的に緊結バンドの平面にかかることを可能にする。別の実施形態によれば、側方保持フック１８が、小穴１４と同等な第２の小穴で置き換えられた場合、緊縮工具がホースクランプに容易に整列するという利点がある。
ｅ）歯状領域１３、１７の下には摩擦力が発生しないため、緊縮プロセスは、緊結対象物の特性から実質的に独立している。
ｆ）緊結対象物内で発生する拡張力が、歯状領域１３、１７間の改良された係止をもたらす。
ｇ）カバリング２２と接続した段１５が、緊結対象物の全周にわたり、隙間の生じないホースクランプによる均一な押圧をもたらす。
【符号の説明】
【００３０】
１０  緊結バンド
１１  外側緊結バンド端部
１２  外側舌部
１３  第１の歯状領域
１４  小穴
１５  段
１６  案内ブラケット
１７  第２の歯状領域
１８  保持フック
１９  内側舌部
２０  内側緊結バンドの端部
２１  固定フック
２２  窓
２３  カバリング
２４  スロット
２５  ウェブ
２６  案内ブラケット
２７  保持ブラケット
【図１】
2016538490.tif 000003
【図２】
2016538490.tif 000004
【図３】
2016538490.tif 000005
【図４】
2016538490.tif 000006
【図５】
2016538490.tif 000007
【図６】
2016538490.tif 000008
【図７】
2016538490.tif 000009
【図８】
2016538490.tif 000010
【手続補正書】
【提出日】平成28年4月11日(2016.4.11)
【手続補正１】
【補正対象書類名】特許請求の範囲
【補正対象項目名】全文
【補正方法】変更
【補正の内容】
【特許請求の範囲】
【請求項１】
緊結バンドから作成されたホースクランプであって、その端部が前記クランプの閉じた状態において互いに重なり、それにより内側緊結バンド部分と外側緊結バンド部分を形成しており、前記外側緊結バンド部分は、前記緊結バンドの主要部分の幅よりも幅が狭い舌部で終端する端部を有し、前記舌部は、その内側に、前記クランプを緊縮するために前記内側緊結バンド部分に設けられた少なくとも１つの外側に向いた突起と協働する少なくとも１つの内側に向いた突起を有し、前記内側緊結バンド部分は、外側で閉じており前記舌部を少なくとも部分的に囲う複数の保持具を有し、
前記保持具は前記緊結バンドの素材から打ち出され、隣接する保持具の間に残った素材のウェブは幅が拡大されることを特徴とするホースクランプ。
【請求項２】
前記舌部は複数の内側に向いた歯状突起を有する請求項１に記載のホースクランプ。
【請求項３】
前記保持具は前記緊結バンドの長手方向に対して斜めに延在する、請求項１に記載のホースクランプ。
【請求項４】
前記内側および外側緊結バンド部分は、プライヤー型の緊縮工具によって係合される構成を有し、前記内側緊結バンド部分上の前記構成は、前記外側に向いた突起に接近して配置されている、請求項１に記載のホースクランプ。
【請求項５】
前記内側緊結バンド部分上に設けられた前記構成は、前記舌部の両側に設けられた一対のフックを有する、請求項４に記載のホースクランプ。
【請求項６】
前記内側緊結バンド端部に面した前記フックの側に、前記舌部用のさらなる保持構造が設けられている、請求項５に記載のホースクランプ。
【請求項７】
前記内側緊結バンドの端部は、前記緊結バンドの主要部分よりも幅が狭い内側舌部で終端し、前記内側舌部の厚みに対応する段が、前記外側緊結バンド部分に形成されている、請求項１に記載のホースクランプ。
【請求項８】
前記段に隣接した前記緊結バンドの領域は、前記内側舌部の幅に対応する窓を有している、請求項７に記載のホースクランプ。
【請求項９】
前記窓は、緊縮されたホースクランプの湾曲に対応した湾曲を持つ円弧に沿って延出する前記緊結バンドの残った素材片によって覆われる、請求項８に記載のホースクランプ。
【手続補正２】
【補正対象書類名】明細書
【補正対象項目名】０００２
【補正方法】変更
【補正の内容】
【０００２】
特許文献１は、閉じた状態においてその両端部が互いに重なり、それによって内側と外側の緊結バンド部分が形成される緊結バンドからなるホースクランプを、開示している。そして、前記緊結バンド部分の一方が、緊結バンドの主要部の幅より狭い幅を有する舌部を有する。そして、クランプの緊縮のために、前記舌部は、前記緊結バンド部分の他方に設けられた少なくとも１つの突起と協働する少なくとも１つの突起を有する。緊結対象物の周りにクランプを緊縮するための耳状の緊縮構造がある。クランプは、内側緊結バンド部分上に設けられた外側歯状突起と、外側緊結バンド部分上に設けられた内側歯状突起との係合により緊縮された状態で保持される。一つの実施形態において、外側歯状突起は、内側緊結バンド部分の端部に接続され緊結バンドの本体よりも幅が狭い舌部上に形成されている。
【手続補正３】
【補正対象書類名】明細書
【補正対象項目名】０００３
【補正方法】変更
【補正の内容】
【０００３】
特許文献２は、緊結バンドの端部に、重なる状態で相互係合する歯状領域が設けられた開放型ホースクランプを開示する。詳細に説明されないクリップが、端部を相互係合した状態で維持する働きをする。そのようなクリップは特許文献３から知られている。特許文献４は別のホースクランプを開示し、そのホースクランプでは、舌部の外側に設けられた第１の歯状領域が、突起部分の内側に形成された第２の歯状領域と協働する。取り付け中に、係合歯を使用するこれらのホースクランプは、緊結バンドの自由な外側端部を引っ張ることによって緊縮される。
請求項１のプリアンブルに記載された特徴を有するホースクランプは特許文献５及び特許文献６により知られている。これらのホースクランプの緊縮では、内側の歯状舌部を備える上記のホースクランプによるよりも、打ち勝たなければならない摩擦力が小さい。加えて、緊縮動作は、緊結対象物から遠いクランプの側で発生するため、緊結対象物から概ね独立している。これは、緊縮対象物を破損する危険を低減することにもなる。
【手続補正４】
【補正対象書類名】明細書
【補正対象項目名】０００４
【補正方法】変更
【補正の内容】
【０００４】
【特許文献１】国際公開第２０１３／０６０３４６号公報
【特許文献２】米国特許第４０５３９６５号明細書
【特許文献３】米国特許第３０７８５３２号明細書
【特許文献４】米国特許第１８０４７２５号明細書
【特許文献５】独国実用新案登録出願第７２１００３４号公報
【特許文献６】米国特許第３２９３７０９号明細書
【手続補正５】
【補正対象書類名】明細書
【補正対象項目名】０００５
【補正方法】変更
【補正の内容】
【０００５】
本発明は、従来技術の類似したホースクランプで発生する不利な点を少なくとも部分的に回避するという目的に基づく。本発明のより具体的な目的は、舌部の座屈を防止し、また、より小さい直径かつより大きな緊縮長さでも実現されるホースクランプを提供することにおいて見られるであろう。
【手続補正６】
【補正対象書類名】明細書
【補正対象項目名】０００６
【補正方法】変更
【補正の内容】
【０００６】
この目的は、請求項１に規定されるホースクランプによって達成される。このホースクランプにおいて、外側緊結バンド部分上に設けられた舌部の内側は、内側緊結バンド部分上に設けられた少なくとも１つの外側を向いた突起と協働する、少なくとも１つの内側を向いた突起を有し、内側緊結バンド部分は、舌部を少なくとも部分的に囲う保持構造を有している。しっかりと係合して保持される相互係合突起は、緊縮後の逆戻りを防止し、それにより緊縮力の損失を回避する。外側において閉じている複数の保持具は、外側舌部のために、内側緊結バンド部分上に設けられている。緊結バンドから切り欠かれた窓は、隣接する保持具間に残された素材のウェブを大きくすることによって小さくされ、これにより、柔軟なホース材が窓からはみ出して損傷する可能性が低減される。
【手続補正７】
【補正対象書類名】明細書
【補正対象項目名】０００７
【補正方法】削除
【補正の内容】
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】変更
【補正の内容】
【００１１】
ホースクランプの実施例の通り、保持具を、緊結バンドの長手方向に対して斜めに延在するように形成することは、舌部が周方向に連続して案内されることにつながる。
【国際調査報告】
2016538490.tif 000011
2016538490.tif 000012
2016538490.tif 000013
2016538490.tif 000014
2016538490.tif 000015
2016538490.tif 000016